(57)【要約】      （修正有）【課題】色の鮮明度および図柄のエッジが保存されるアップリケを提供する。【解決手段】布帛上に図柄を貼付するためのアップリケが、フロック用接着剤によって保持された所定の多色パターンに配設されたフロックと、該アップリケを布帛に接着するために適した接着剤とを具備する。【選択図】図１
0003173227.tif 000002
【実用新案登録請求の範囲】
【請求項１】
布帛上に図柄を貼付するためのアップリケにおいて、
布帛材料より成る基体上に堆積されたフロック用接着剤によって保持された所定の多色パターンに配設されたフロックと、
該アップリケを布帛に接着するために適した貼付用接着剤とを具備するアップリケ。
【考案の詳細な説明】
【技術分野】
【０００１】
本考案は布帛への図柄の貼付に関する。
【背景技術】
【０００２】
GB2245220には、フロック繊維上の永久的な接着層に粒状体を固定した複層転写シートが記載されている。布帛に図柄を貼付するために、粒状体層が布帛表面に配置され熱と圧力が印加される。粒状体が溶融し布帛内に浸透して図柄が固定され、使い捨ての剥離シートが剥がされる。GB2245220には、複数の乾燥操作、スクリーン印刷操作を含む多数の処理段階が記載されている。この処理によって、特定のタイプの布帛上への特定の色と耐久性についての適用範囲に潜在的問題がある。
【先行技術文献】
【特許文献】
【０００３】
【特許文献１】GB2245220明細書
【特許文献２】欧州特許出願EP1876288明細書
【考案の概要】
【考案が解決しようとする課題】
【０００４】
従って、図柄の色の多様性、適用、耐久性、染料に対する布帛の抗移行性につき、布帛への図柄の貼付を改善する必要がある。また、こうした貼付の改善によって、製造工程が単純化され、織物、ホットメルトフィルム、フロック用接着剤のような種々の原材料の利用可能性が提供される。他の目的は、一層柔軟で一層高い耐久性および染料に対する抗移行性を達成することである。
【課題を解決するための手段】
【０００５】
布帛上に図柄を貼付するためのアップリケが、フロック用接着剤によって保持された所定の多色パターンに配設されたフロックと、該アップリケを布帛に接着するために適した貼付用接着剤とを含む。
【０００６】
１つの形態では、前記フロック用接着剤はフィルムや布帛のような基体上に堆積されている。１つの形態では、前記基体は、フロック間に見える多色を有している。１つの形態では、前記基体はポリウレタン製である。或いは、前記基体は布帛材料である。前記布帛材料は、所定パターンで昇華型印刷することができる。前記布帛は高光沢繊維タイプのような織物繊維とすることができる。前記繊維はサテンまたはサテンのような材料とすることができる。前記繊維はポリエステルとすることができる。前記基体は箔材料とすることができる。前記箔はホログラフィックパターンを含むことができる。前記基体は抗移行障壁を含むことができる。
【０００７】
前記貼付用接着剤はホットメルトとすることができる。衣類または布片が、上述したアップリケを備えることができる。
衣類または布片を装飾する方法が、接着剤を用いて上述したアップリケを布帛に付着させることを含む。
【０００８】
本開示目的から、「アップリケ」との用語は、衣類のような布地上のロゴのように、布帛に貼付して装飾的図柄を与える装飾的な小片または記章を意味する。
【０００９】
本考案のこれらの特徴および他の特徴および利点は、実用新案登録請求の範囲に関連した以下の詳細な説明から明らかとなろう。
【図面の簡単な説明】
【００１０】
【図１】衣類に図柄を貼付するための本考案のアップリケの断面図である。
【図２】布帛上に貼付した後のアップリケを示す図である。
【図３】本考案のアップリケの代替実施形態の断面図である。
【図４】本考案のアップリケの代替実施形態の断面図である。
【図５】本考案のアップリケの代替実施形態の断面図である。
【図６】本考案のアップリケの代替実施形態の断面図である。
【図７】本考案のアップリケの代替実施形態の断面図である。
【考案を実施するための形態】
【００１１】
本考案の利益や利点は以下の説明および添付図面から当業者には容易に明らかとなろう。
本考案は種々の形態で実施可能であるが、現時点で好ましい実施の形態を図面に示し以下説明する。好ましい実施の形態は、本考案の一例であって本考案を特定の実施の形態に限定する趣旨ではない。
【００１２】
更に、本明細書における「発明の詳細な説明」との項目名は米国特許庁の要求に関連し、ここに開示の考案の主題を暗に限定するものはないし、或いはそのように推測されるべきでもない。
【００１３】
図１、２を参照すると、本考案の原理によるアップリケ９は、ポリウレタン(PU)フィルム１を含み、該ポリウレタンフィルムにフロック用接着剤つまり永久的な接着層２が印刷されている。既述したように、開示目的から「アップリケ」との用語は、衣類のような布地上のロゴのように、布帛に貼付して装飾的図柄を与える装飾的な小片または記章を意味する。
【００１４】
接着層２には静電界を用いてフロック繊維層３が付着される。フロック繊維層３は多色とすることができ、各色は、従来のフロック加工方法を用いて準じに付着することができる。フロック加工の前または後に、貼付用接着剤つまりホットメルト層４がPUフィルム１に積層される。
【００１５】
ホットメルト接着剤は、芳香族プラスチックまたは脂肪族プラスチックから成る。ホットメルトフィルムは、これに限定されないが、ポリアミド、ポリエステル、ポリオレフィン、ポリウレタンおよびポリウレタンエステルの１または複数を含むことができる。例えば、ホットメルトフィルムは、７６μmのビーミスポリエステルホットメルトフィルム5250とすることができる。
【００１６】
布帛（これに限定されないがサテンまたはサテンのような材料）に図柄を貼付するために、アップリケ９は、使い捨てのキャリア５を除去した後に、ホットメルトフィルム４が前記布帛に接するように、同布帛上に単に載置される。熱と圧力とを印加してホットメルトを布帛（Ｆ）に浸透させることによって、該アップリケを所定位置に貼付される。或いは、高周波溶接方法を用いて貼付するようにしてもよい。
【００１７】
本考案の主要な利点は、フロック上に如何なる材料をも堆積させる必要がなく、従って、色の鮮明度および図柄のエッジが保存される点である。また、非常に単純に貼付可能で、かつ、高周波溶接や、熱および圧力を利用すことができる。本考案によれば、フロック繊維は剥離姓接着剤には堆積されない。剥離性接着剤は、貼付に際してフロック繊維を剥がしてしまいフロックによる被覆が不完全になることがある。本考案は非毒性、恒久的ホットメルト接着剤を使用する。接着剤の架橋結合は一段階で永久的であり、布帛上へ貼付する間に付加的な硬化時間を要しない。また、布帛フィルムやホットメルト接着剤フィルムを用いることによって、被覆と不透明度が改善される。スクリーン印刷によって接着剤を塗布（品質が一貫しないことがある）している従来技術をフィルムの使用で置換することによって無駄になる材料のリスクが実質的に低減される。
【００１８】
図３を参照すると、他の実施の形態において、多色フロック１０は恒久的接着剤１１内に保持されており、そして、恒久的接着剤はキャリア１３上に供給されたホットメルト１２上に直接堆積されている。これは、PUフィルム基体その他のフィルム基体の必要性がない単純な構成である。フィルムの必要性がなくなることによって、非常に軽量で潜在的に非常に柔軟なアップリケの製造が可能となる。本実施形態では、下層の色が見えてしまう危険性は殆ど無い。図３を参照して、他の実施の形態では、多色フロック１０は恒久的接着剤１１内に保持されており、そして、恒久的接着剤はキャリア１３上に供給された不透明なホットメルト１２上に直接堆積されている。本実施形態では、下層の色が見えてしまう危険性は殆ど無い。
【００１９】
図４を参照すると、多色フロック２０が、布帛２２上に堆積された永久的接着剤２１によって保持されている。ホットメルト２３とキャリア２４とが存在する。この構成には、様々な質感を有し、高パイルフロック繊維および様々な手触りのサテン材料を含む表面の三次元アップリケを製造可能となるとの利点がある。
【００２０】
図５を参照すると、他の実施の形態において、多色フロック３０は、フロック加工の前に昇華型印刷された布帛３２上に恒久的接着剤３１によって保持されている。使用する昇華型印刷されたサテン布帛材料は、株式会社東京宝来社からNXSSの商品名で市販されているタイプの材料を用いることができる。この材料は欧州特許出願EP1876288に開示されている。
【００２１】
図６を参照すると、多色フロック４０は、箔４２上に堆積された接着剤４１によって保持されている。箔は、金属箔、反射性またはホログラフィック箔とすることができる。ホットメルト４３とキャリア４４とが存在する。本考案の該実施形態は、セキュリティー要素、ブランド保護要素および認証要素を組み込むことのできる様々な手触りの三次元アップリケが製造可能となるとの利点がある。
【００２２】
図７を参照すると、他の実施の形態において、多色フロック５０は、接着剤５１によって抗移行障壁５２上に保持されている。該障壁は、ホットメルト５３および使い捨てのキャリア５４（無くともよい）上に設けた単層または複合抗移行障壁若しくは薄膜層とすることができる。本実施形態は、特に、高い抗移行性または抗浸透性が必要な場合に利用可能である。
【００２３】
上述したフロック用接着剤２、１１、２１、３１、４１、５１は全て架橋性水系アクリル乳剤型接着剤であって、各接着剤の架橋結合は基体に適合するように選択される。（PUフィルム上の）接着剤２についてポリウレタンベースの接着剤のような代替物も可能であるが、水系アクリル乳剤が最も効果的で一層安全であると考えられる。
【００２４】
上記実施形態で利用可能な接着剤の例を以下に挙げる。
（PUフィルム１上の）接着剤２：製品：TUBVINYL TTH-ZP WEISS、科学的記載：二酸化チタンを含むアクリレート分散体
（ホットメルト１２上の）接着剤１１：製品：TUBVINYL TTH-ZP WEISS、科学的記載：二酸化チタンを含むアクリレート分散体
【００２５】
（布帛２２上の）接着剤２１：製品：TUBITRANS BOND-3、科学的記載：アクリル共重合体の水分散液
（昇華型印刷されたサテン布帛材料３２上の）接着剤３１：製品：TUBITRANS BOND-3、科学的記載：アクリル共重合体の水分散液
【００２６】
（箔４２上の）接着剤４１：製品：TUBVINYL TTH-ZP WEISS、科学的記載：二酸化チタンを含むアクリレート分散体
（抗移行障壁基体５２上の）接着剤５１：製品：TUBVINYL TTH-ZP WEISS、科学的記載：二酸化チタンを含むアクリレート分散体
【００２７】
上述した接着剤は、ドイツ国オイテンWerk Oyten, Rudolf-Diesel-StraBe 19-21 28876所在のCHT R. BEITLICH GMBH社から市販されている。
【００２８】
本考案によれば、図柄の色の多様性、適用、耐久性、染料に対する布帛の抗移行性に関して、例えばサテンやサテン状の材料を含む布帛への図柄の貼付が改善される。本考案は、また、製造工程を単純にし、織物、ホットメルトフィルム、フロック用接着剤のような種々の原材料の利用可能性を改善する。これによって、一層柔軟で一層高い耐久性および染料に対する抗移行性が得られる。
【００２９】
本明細書中において参照した全ての特許は、その旨特記してしていなくとも参照によって本願に組み入れるものとする。
【００３０】
また、本明細書において、「a」または「an」との記載は、単数および複数を含むものとする。反対に、複数形にて表記されていても、適切な場合には単数を含むものとする。
【００３１】
既述の説明から、本考案の新規なコンセプトの精神と範囲から逸脱することなく、種々の改良と変更とが可能であることは言うまでもない。例示した特定の実施形態は限定する意図はなく、またそのように推認すべきでもない。本開示は、実用新案登録請求の範囲がこうした全ての修正を包含することを意図している。
【符号の説明】
【００３２】
１    ポリウレタン（ＰＵ）フィルム
２    接着層
３    フロック繊維層
４    ホットメルト層
５    使い捨てのキャリア
９    アップリケ
１０    多色フロック
１１    接着剤
１２    ホットメルト
１３    キャリア
２０    多色フロック
２１    接着剤
２２    布帛
２３    ホットメルト
２４    キャリア
３０    多色フロック
３１    接着剤
３２    布帛
４０    多色フロック
４１    接着剤
４２    箔
４３    ホットメルト
４４    キャリア
５０    多色フロック
５１    接着剤
５２    抗移行障壁
５３    ホットメルト
５４    使い捨てのキャリア
【図１】
0003173227.tif 000003
【図２】
0003173227.tif 000004
【図３】
0003173227.tif 000005
【図４】
0003173227.tif 000006
【図５】
0003173227.tif 000007
【図６】
0003173227.tif 000008
【図７】
0003173227.tif 000009